(57)【要約】【課題】  商品アイデアが具現化の補助にもなるオークションシステム等を提供することを目的とする。【解決手段】  これは、アイデア情報記憶手段と、見積情報記憶手段と、オークション情報記憶手段と、高額の入札価格から低額の入札価格へと入札希望量を順次加算処理することによって得られる入札価格毎の累計量と、対応する入札価格とを積演算処理することにより入札価格別累計量対売上データを作成する処理と、累計量と、累計量に対応する、具現化単価量あたりの具現化金額とを積演算処理することにより入札価格別累計量対具現化費データを作成する処理と、入札価格別累計量対売上データと入札価格別累計量対具現化費データとを比較し、所定の条件を満たす、入札価格を抽出する処理とを行う抽出手段とを備えるオークションシステムである。【選択図】  図2
2006330788.tif 000002
【特許請求の範囲】
【請求項１】
第1コンピュータと第2コンピュータとが、通信ネットワークを介してオークション部コンピュータに接続されたオークションシステムにおいて、
前記オークション部コンピュータは、
アイデア情報が記憶されるアイデア情報記憶手段と、
前記第1コンピュータから送信され、アイデア具現量に応じた、具現化単価量あたりの具現化金額が前記アイデア情報に関連づけて記憶される見積情報記憶手段と、
前記第2コンピュータから送信された、入札価格と入札量とが前記アイデア情報に関連づけて記憶されるオークション情報記憶手段と、
高額の入札価格から低額の入札価格へと入札希望量を順次加算処理することによって得られる入札価格毎の累計量と、対応する入札価格とを積演算処理することにより入札価格別累計量対売上データを作成する処理と、
前記累計量と、前記累計量に対応する、具現化単価量あたりの具現化金額とを積演算処理することにより入札価格別累計量対具現化費データを作成する処理と、
前記入札価格別累計量対売上データと前記入札価格別累計量対具現化費データとを比較し、所定の条件を満たす、入札価格を抽出する処理とを行う抽出手段と
を備えることを特徴とするオークションシステム。
【請求項２】
前記オークション部コンピュータにはさらに第3コンピュータが通信ネットワークを介して接続され、
前記アイデア情報記憶手段には、前記第3コンピュータから送信されたアイデア情報が記憶されることを特徴とする請求項１記載のオークションシステム。
【請求項３】
前記オークション部コンピュータは、前記第1コンピュータ又は前記第2コンピュータに対して前記アイデア情報を送信する手段をさらに備えることを特徴とする請求項１記載のオークションシステム。
【請求項４】
前記オークション部コンピュータにはさらに第4コンピュータが通信ネットワークを介して接続され、
前記オークション部コンピュータは、前記第4コンピュータから、入札に対応する入金情報を受信する手段をさらに備えることを特徴とする請求項１記載のオークションシステム。
【請求項５】
アイデア情報が記憶されるアイデア情報記憶手段と、
アイデア具現量に応じた、具現化単価量あたりの具現化金額が前記アイデア情報に関連づけて記憶される見積情報記憶手段と、
入札価格と入札量とが前記アイデア情報に関連づけて記憶されるオークション情報記憶手段と、
高額の入札価格から低額の入札価格へと入札希望量を順次加算処理することによって得られる入札価格毎の累計量と、対応する入札価格とを積演算処理することにより入札価格別累計量対売上データを作成する処理と、
前記累計量と、前記累計量に対応する、具現化単価量あたりの具現化金額とを積演算処理することにより入札価格別累計量対具現化費データを作成する処理と、
前記入札価格別累計量対売上データと前記入札価格別累計量対具現化費データとを比較し、所定の条件を満たす、入札価格を抽出する処理とを行う抽出手段と
を備えることを特徴とする情報処理装置。
【請求項６】
前記見積情報記憶手段には、アイデア具現量に応じた、具現化単価量あたりの具現化金額とともに具現化者ID情報が前記アイデア情報に関連づけて記憶され、
前記抽出手段は、所定の条件を満たす具現化者ID情報をさら抽出することを特徴とする請求項5記載の情報処理装置。
【請求項７】
アイデア情報が記憶されるアイデア情報記憶ステップと、
アイデア具現量に応じた、具現化単価量あたりの具現化金額が前記アイデア情報に関連づけて記憶される見積情報記憶ステップと、
入札価格と入札量とが前記アイデア情報に関連づけて記憶されるオークション情報記憶ステップと、
高額の入札価格から低額の入札価格へと入札希望量を順次加算処理することによって得られる入札価格毎の累計量と、対応する入札価格とを積演算処理することにより入札価格別累計量対売上データを作成する処理と、
前記累計量と、前記累計量に対応する、具現化単価量あたりの具現化金額とを積演算処理することにより入札価格別累計量対具現化費データを作成する処理と、
前記入札価格別累計量対売上データと前記入札価格別累計量対具現化費データとを比較し、所定の条件を満たす、入札価格を抽出する処理とを行う抽出ステップと
を有することを特徴とする情報処理方法。
【請求項８】
情報処理装置の情報処理用のプログラムにおいて、
アイデア情報が記憶されるアイデア情報記憶ステップと、
アイデア具現量に応じた、具現化単価量あたりの具現化金額が前記アイデア情報に関連づけて記憶される見積情報記憶ステップと、
入札価格と入札量とが前記アイデア情報に関連づけて記憶されるオークション情報記憶ステップと、
高額の入札価格から低額の入札価格へと入札希望量を順次加算処理することによって得られる入札価格毎の累計量と、対応する入札価格とを積演算処理することにより入札価格別累計量対売上データを作成する処理と、
前記累計量と、前記累計量に対応する、具現化単価量あたりの具現化金額とを積演算処理することにより入札価格別累計量対具現化費データを作成する処理と、
前記入札価格別累計量対売上データと前記入札価格別累計量対具現化費データとを比較し、所定の条件を満たす、入札価格を抽出する処理とを行う抽出ステップと
を有することを特徴とするコンピュータが読み取り可能なプログラムが記録されている記録媒体。
【請求項９】
情報処理装置を制御するコンピュータに、情報処理を行わせるプログラムにおいて、
アイデア情報が記憶されるアイデア情報記憶ステップと、
アイデア具現量に応じた、具現化単価量あたりの具現化金額が前記アイデア情報に関連づけて記憶される見積情報記憶ステップと、
入札価格と入札量とが前記アイデア情報に関連づけて記憶されるオークション情報記憶ステップと、
高額の入札価格から低額の入札価格へと入札希望量を順次加算処理することによって得られる入札価格毎の累計量と、対応する入札価格とを積演算処理することにより入札価格別累計量対売上データを作成する処理と、
前記累計量と、前記累計量に対応する、具現化単価量あたりの具現化金額とを積演算処理することにより入札価格別累計量対具現化費データを作成する処理と、
前記入札価格別累計量対売上データと前記入札価格別累計量対具現化費データとを比較し、所定の条件を満たす、入札価格を抽出する処理とを行う抽出ステップと
を有することを特徴とするプログラム。
【発明の詳細な説明】
【技術分野】
【０００１】
本発明は、情報処理装置、情報処理方法、記録媒体、プログラム、特にオークションシステムに関する。
【背景技術】
【０００２】
インターネット上には、Ｗｅｂページを媒介として、オークションに係わる出品や入札の手続を行えるネットオークションと呼ばれるサービスを開催しているＷｅｂサイト（オークションサイト）がある。オークションサイトは、ＷＷＷサーバを主体として、これと連携するコンピュータやデータベースを含むコンピュータ・システムにより開催される。このシステムは、Ｗｅｂページによるユーザインタフェースをオークション参加者のコンピュータ（利用者コンピュータ）に提供し、このＷｅｂページを通じてオークションにおける出品や入札を受け付ける。また、オークション参加者に関する個人情報の管理を行い、落札したオークション案件が発生すればその事実を取引当事者となる出品者と落札者へ通知し、その後の当事者間での落札代金授受が円滑に行えるように仲介する（例えば、特許文献1参照）。
【０００３】
【特許文献１】特開２００４-１９２４３８号公報
【０００４】
インターネットなどの通信サービス上で行われるオークションは、オンラインオークションとも呼ばれ、電子商取引(EC)の一種である。
【０００５】
これら一連の処理を行なうためのシステムと「場」を提供し、出品者から手数料を徴収する事業が急速に伸びている。
【０００６】
近年、商品アイデアの収集及び公開と、公開した商品アイデアに係る商品の製造希望者との商談をインターネットで行うことも提案されている（例えば、特許文献2参照）。
【０００７】
【特許文献２】特開２００４−１３３８２５号公報
【０００８】
しかしながら、単なる商談などを行う機会をインターネット上で提供するだけでは商品アイデアが具現化する可能性は大きくなく、他の要素も商品アイデアの具現化には必要とされる。
【発明の開示】
【発明が解決しようとする課題】
【０００９】
本発明は、上述の背景技術に鑑みてなされたものであり、商品アイデアが具現化の補助にもなるオークションシステム、情報処理装置、情報処理方法、記録媒体及びプログラムを提供することを目的とする。
【課題を解決するための手段】
【００１０】
この発明によれば、上述の目的を達成するために、特許請求の範囲に記載のとおりの構成を採用している。以下、この発明を詳細に説明する。
【００１１】
本発明の第１の側面は、第1コンピュータと第2コンピュータとが、通信ネットワークを介してオークション部コンピュータに接続されたオークションシステムにおいて、
前記オークション部コンピュータは、
アイデア情報が記憶されるアイデア情報記憶手段と、
前記第1コンピュータから送信され、アイデア具現量に応じた、具現化単価量あたりの具現化金額が前記アイデア情報に関連づけて記憶される見積情報記憶手段と、
前記第2コンピュータから送信された、入札価格と入札量とが前記アイデア情報に関連づけて記憶されるオークション情報記憶手段と、
高額の入札価格から低額の入札価格へと入札希望量を順次加算処理することによって得られる入札価格毎の累計量と、対応する入札価格とを積演算処理することにより入札価格別累計量対売上データを作成する処理と、
前記累計量と、前記累計量に対応する、具現化単価量あたりの具現化金額とを積演算処理することにより入札価格別累計量対具現化費データを作成する処理と、
前記入札価格別累計量対売上データと前記入札価格別累計量対具現化費データとを比較し、所定の条件を満たす、入札価格を抽出する処理とを行う抽出手段と
を備えることを特徴とするオークションシステムにある。
【００１２】
本構成によれば、実勢販売価格等が的確に判断できるため、マーケティング機能が期待できる。
【００１３】
本発明の第2の側面は、前記オークション部コンピュータにはさらに第3コンピュータが通信ネットワークを介して接続され、
前記アイデア情報記憶手段には、前記第3コンピュータから送信されたアイデア情報が記憶されることを特徴とするオークションシステムにある。
【００１４】
本構成によれば、マーケティング機能により広くアイデアの具現化を図ることができる。
本発明の第3の側面は、前記オークション部コンピュータは、前記第1コンピュータ又は前記第2コンピュータに対して前記アイデア情報を送信する手段をさらに備えることを特徴とするオークションシステムにある。
【００１５】
本構成によれば、広くアイデアを知らしめ、多様な考えを誘起することができる。
本発明の第4の側面は、前記オークション部コンピュータにはさらに第4コンピュータが通信ネットワークを介して接続され、
前記オークション部コンピュータは、前記第4コンピュータから、入札に対応する入金情報を受信する手段をさらに備えることを特徴とするオークションシステムにある。
【００１６】
本構成によれば、入札後の入金情報も扱うことにより、金銭面でのリスクを低減できる。
【００１７】
本発明の第5の側面は、アイデア情報が記憶されるアイデア情報記憶手段と、
アイデア具現量に応じた、具現化単価量あたりの具現化金額が前記アイデア情報に関連づけて記憶される見積情報記憶手段と、
入札価格と入札量とが前記アイデア情報に関連づけて記憶されるオークション情報記憶手段と、
高額の入札価格から低額の入札価格へと入札希望量を順次加算処理することによって得られる入札価格毎の累計量と、対応する入札価格とを積演算処理することにより入札価格別累計量対売上データを作成する処理と、
前記累計量と、前記累計量に対応する、具現化単価量あたりの具現化金額とを積演算処理することにより入札価格別累計量対具現化費データを作成する処理と、
前記入札価格別累計量対売上データと前記入札価格別累計量対具現化費データとを比較し、所定の条件を満たす、入札価格を抽出する処理とを行う抽出手段と
を備えることを特徴とする情報処理装置にある。
【００１８】
本構成によれば、実勢販売価格等が的確に判断できるため、マーケティング機能が期待できる。
【００１９】
本発明の第6の側面は、前記見積情報記憶手段には、アイデア具現量に応じた、具現化単価量あたりの具現化金額とともに具現化者ID情報が前記アイデア情報に関連づけて記憶され、
前記抽出手段は、所定の条件を満たす具現化者ID情報をさら抽出することを特徴とする情報処理装置にある。
【００２０】
本構成によれば、具現化者の決定も行うことができる。
【００２１】
本発明の第7の側面は、アイデア情報が記憶されるアイデア情報記憶ステップと、
アイデア具現量に応じた、具現化単価量あたりの具現化金額が前記アイデア情報に関連づけて記憶される見積情報記憶ステップと、
入札価格と入札量とが前記アイデア情報に関連づけて記憶されるオークション情報記憶ステップと、
高額の入札価格から低額の入札価格へと入札希望量を順次加算処理することによって得られる入札価格毎の累計量と、対応する入札価格とを積演算処理することにより入札価格別累計量対売上データを作成する処理と、
前記累計量と、前記累計量に対応する、具現化単価量あたりの具現化金額とを積演算処理することにより入札価格別累計量対具現化費データを作成する処理と、
前記入札価格別累計量対売上データと前記入札価格別累計量対具現化費データとを比較し、所定の条件を満たす、入札価格を抽出する処理とを行う抽出ステップと
を有することを特徴とする情報処理方法にある。
【００２２】
本構成によれば、実勢販売価格等が的確に判断できるため、マーケティング機能が期待できる。
【００２３】
本発明の第8の側面は、情報処理装置の情報処理用のプログラムにおいて、
アイデア情報が記憶されるアイデア情報記憶ステップと、
アイデア具現量に応じた、具現化単価量あたりの具現化金額が前記アイデア情報に関連づけて記憶される見積情報記憶ステップと、
入札価格と入札量とが前記アイデア情報に関連づけて記憶されるオークション情報記憶ステップと、
高額の入札価格から低額の入札価格へと入札希望量を順次加算処理することによって得られる入札価格毎の累計量と、対応する入札価格とを積演算処理することにより入札価格別累計量対売上データを作成する処理と、
前記累計量と、前記累計量に対応する、具現化単価量あたりの具現化金額とを積演算処理することにより入札価格別累計量対具現化費データを作成する処理と、
前記入札価格別累計量対売上データと前記入札価格別累計量対具現化費データとを比較し、所定の条件を満たす、入札価格を抽出する処理とを行う抽出ステップと
を有することを特徴とするコンピュータが読み取り可能なプログラムが記録されている記録媒体にある。
【００２４】
本構成によれば、実勢販売価格等が的確に判断できるため、マーケティング機能が期待できる。
【００２５】
本発明の第9の側面は、情報処理装置を制御するコンピュータに、情報処理を行わせるプログラムにおいて、
アイデア情報が記憶されるアイデア情報記憶ステップと、
アイデア具現量に応じた、具現化単価量あたりの具現化金額が前記アイデア情報に関連づけて記憶される見積情報記憶ステップと、
入札価格と入札量とが前記アイデア情報に関連づけて記憶されるオークション情報記憶ステップと、
高額の入札価格から低額の入札価格へと入札希望量を順次加算処理することによって得られる入札価格毎の累計量と、対応する入札価格とを積演算処理することにより入札価格別累計量対売上データを作成する処理と、
前記累計量と、前記累計量に対応する、具現化単価量あたりの具現化金額とを積演算処理することにより入札価格別累計量対具現化費データを作成する処理と、
前記入札価格別累計量対売上データと前記入札価格別累計量対具現化費データとを比較し、所定の条件を満たす、入札価格を抽出する処理とを行う抽出ステップと
を有することを特徴とするプログラム。
【００２６】
本構成によれば、実勢販売価格等が的確に判断できるため、マーケティング機能が期待できる。
【００２７】
なお、コンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【発明の効果】
【００２８】
本発明によれば、マーケティング機能が期待できる。
【００２９】
本発明のさらに他の目的、特徴又は利点は、後述する本発明の実施の形態や添付する図面に基づく詳細な説明によって明らかになるであろう。
【発明を実施するための最良の形態】
【００３０】
以下、本発明の実施の形態について図面を参照しながら詳細に説明する。
【００３１】
図１は、本実施形態のハードウェアの相関を示す図である。「商品の着想をする者」である出品者が保有するコンピュータ１３０と、「商品の着想に対して商品化する為の仕事を受けたい者」である製作者が保有するコンピュータ１２０と、「商品の着想に対して購入希望もしくは仕入販売希望をする者」である購入者が保有するコンピュータ１４０が、提携金融機関が保有するコンピュータ１５０とが、通信ネットワークを介して、それぞれ「オークション機能と累積利益最大価格算定機能を備えたコンピュータ」であるサーバ１１０に接続されている。
【００３２】
サーバ１１０には、出品者の案件に対し、製作者の製作費の見積入札と購入者の購買希望入札とを決められた期間内に又は同時的に行うオークション機能、並びに、得られた各入札情報から累積利益最大価格を計算することと、製作及び販売実施に際しての代金回収を提携金融機関により代行することとを行う機能が備えられている。インターネット環境を介してデータの取得を行えば、利益確保が確実な商品やサービスの発売を可能とし、さらに適正市場の創造も行うことができる。
【００３３】
なお、接続されたコンピュータ又はサーバ間の通信方式は特定のものに限定されるものではなく、通信方式として、例えば、CDMA（Code Division Multiple Access）通信方式またはUWB（Ultra Wide Band）通信方式などを利用してもよい。
【００３４】
図２は、サーバ１１０内ソフトウェアの構成図である。サーバ１１０は、入出制御部P1、利用制御部P2、会員データD1、メインプログラムMP1、オークションデータD4、見積りデータD3、商品データD2から構成される。
【００３５】
入出制御部P1は、インターネットを通じサーバＡにアクセスしたコンピュータに対して、トップページの表示と、サイト使用説明ページのアクセス処理及び表示と、出品者としてログインするか、製作者としてログインするか、購入者としてログインするかの判断とを行う。
【００３６】
利用制御部P2は、入出制御部P1においてログイン入力情報を、会員データD1と照合処理をし、メインプログラムMP1の利用可否及び利用機能の設定を行う。
【００３７】
メインプログラムMP1は、利用制御部P2の処理により、メインプログラムMP1の利用機能設定されたログインコンピュータから送られる情報を、オークションデータD4、見積りデータD3、商品データD2に対して、利用ページ等の登録や更新をすることができる。また、メインプログラムMP1は、蓄積された、会員データD1、オークションデータD4、見積りデータD3、商品データD2の各データを正規化し、相互の関連付け処理を行う。さらに、メインプログラムMP1は、関連付け処理をした情報の数値情報部分に対して出品者選択品分析、出品者の販売価格決定、出品者の商品に対する再集計と見直し、出品者最終手続き等の理論演算処理を行う。また、メインプログラムMP1は、会員データD1の情報のメールアドレスに対してメールを発行する。
【００３８】
次に、各種フローチャートに沿って本実施形態を説明する。
【００３９】
図３は、初期表示に関するフローチャートである。
【００４０】
ステップＦ１おいて、トップページの表示処理を行う。次に、ステップＦ２おいて、サイト利用の説明文を表示するかの判定処理を行う。
【００４１】
閲覧者が説明文を閲覧することを選択する場合には、ステップＦ３おいて、サイト利用の説明文の表示処理を行う。
【００４２】
一方、閲覧者が説明文を閲覧することを選択しない場合には、どの立場としてウェブサイトに入場するかを選択するステップに進む。このステップでは、ステップＦ４おいて、出品者用ログインページを表示するかの判定処理を行う。また、ステップＦ５おいて、製作者用ログインページを表示するかの判定処理を行う。さらに、ステップＦ６おいて、購入者用ログインページを表示するかの判定処理を行う。
【００４３】
図４は、出品者用登録ログインに関するフローチャートである。
【００４４】
まず、ステップＦ７おいて、出品者用ページの表示処理を行う。
【００４５】
次に、ステップＦ８おいて、出品者がログインするかの判定処理を行い、出品者がログインする場合は、ステップＦ９おいて、取得済みＩＤとパスワードの入力処理を行った後、ステップＦ１０おいて、ステップＦ９で入力されたＩＤとパスワードを会員データD1のデータと照合作業を行い、ステップＦ１１おいて、ステップＦ１０の結果、登録データが存在したか判定処理を行う。ステップＦ１１の結果、登録データが存在する場合には、図５で説明する出品者利用ページフローへと進む。
【００４６】
一方、ステップＦ１１の結果、登録データが存在しない場合には、ステップＦ１２おいて、ＩＤとパスワードとを再発行を希望するか判定処理を行う。
【００４７】
ステップＦ１３おいて、再発行を希望しない場合には、ステップＦ９に戻る。
【００４８】
一方、ステップＦ１３おいて、再発行を希望する場合には、登録済みと思われるメールアドレス、ＩＤ、名前の入力処理を行う。入力処理の後、ステップＦ１４おいて、ステップＦ１３で入力されたメールアドレス、ＩＤ、名前を会員データD1のデータと照合作業を行う。次に、ステップＦ１５おいて、ステップＦ１４の結果、登録データが存在したか判定処理を行う。
【００４９】
ステップＦ１５の結果、登録データが存在する場合、ステップＦ１６おいて、登録済みメールアドレスへパスワードのメール発送処理を行い、ステップＦ１７おいて、ステップＦ１へ回帰表示処理を行う。
【００５０】
一方、ステップＦ１５の結果、登録データが存在しない場合、ステップＦ１８おいて、例えば『未登録です』との文字表示処理を行い、ステップＦ１９おいて、ステップＦ１へ回帰表示処理を行う。
【００５１】
ステップＦ８おいて、出品者がログインするかの判定処理を行い出品者がログインしない場合は、ステップＦ２０おいて、新規登録するかの判定処理を行う。次に、ステップＦ２１おいて、新規登録必須項目の入力処理を行い、ステップＦ２２おいて、新規登録必須項目の入力漏れ診断処理を行う。ステップＦ２３おいて、入力漏れがあるか判定処理を行う。
【００５２】
この際に、入力結果に不適合があった場合には、ステップＦ２４おいて、入力ミス項目の表示処理を行い、ステップＦ２１に戻る。
【００５３】
一方、入力結果が適合であった場合には、ステップＦ２５おいて、新規登録の入力情報とパスワードを自動割当し会員データD1へ保存処理を行う。次に、ステップＦ２６おいて、ステップＦ２５の新規登録情報のメールアドレスへ自動割当したパスワードのメール発送処理を行い、ステップＦ２７おいて、ステップＦ１へ回帰表示処理を行う。
【００５４】
図５は、出品者用利用ページに関するフローチャートである。
【００５５】
まず、ステップＦ２８おいて、出品者ページフォーム表示処理を行う。次に、ステップＦ２９おいて、商品データD2から自己商品の既存情報の自動検索処理を行い、ステップＦ３０おいて、ステップＦ２９の結果、既存情報あるか判定処理を行う。
【００５６】
ステップＦ３０の結果、情報無しの場合、ステップＦ３１おいて、空白表示処理を行う。
【００５７】
一方、ステップＦ３０の結果、情報がある場合、ステップＦ３２おいて、見積りデータD3から関連付け情報を検出し照合処理を行い、ステップＦ３２の結果、ステップＦ３３おいて、見積りデータD3との結合情報あるか判定処理を行う。
【００５８】
ステップＦ３３の結果、情報無しの場合、ステップＦ３４おいて、商品データD2から自己商品の既存情報表示処理を行う。
【００５９】
一方、ステップＦ３３の結果、情報がある場合、ステップＦ３５おいて、オークションデータD4から関連付け情報を検出し照合処理を行い、ステップＦ３６おいて、ステップＦ３５の結果、オークションデータD4との結合情報あるか判定処理を行う。
【００６０】
ステップＦ３７おいて、ステップＦ３６の結果、情報無しの場合、見積りデータD3との結合情報表示処理を行う。一方、ステップＦ３８おいて、ステップＦ３６の結果、情報がある場合、オークションデータD4との結合情報表示処理を行う。
【００６１】
ステップＦ３９おいて、ステップＦ３１、ステップＦ３４、ステップＦ３７、ステップＦ３８からの表示データを一覧形式に変換表示処理を行う。
【００６２】
その後、ステップＦ４０おいて、商品登録、更新、削除を行うかの判定処理を行う。商品登録、更新、削除を行う場合には、ステップＦ４１おいて、商品の登録、更新、削除命令の入力処理を行い、ステップＦ４２おいて、画像データをアップロードするかの判定処理を行う。ここで、画像データをアップロードする場合には、ステップＦ４３おいて、画像データアップロード入力処理を行い、ステップＦ４４おいて、商品データD2にデータ保存処理を行う。
【００６３】
次に、ステップＦ４５おいて、画像の作成を依頼するかの判定処理を行う。ここで、画像の作成を依頼する場合には、ステップＦ４６おいて、画像の作成を依頼するための情報入力処理を行い、ステップＦ４７おいて、見積りデータD3にデータ保存処理を行う。
【００６４】
次に、ステップＦ４８おいて、オークションに出品するかの判定処理を行う。ここで、オークションに出品する場合には、ステップＦ４９おいて、オークション出品データを商品データD2とオークションデータD4に保存処理を行う。
【００６５】
次に、ステップＦ５０おいて、見積依頼に出品するかの判定処理を行う。ここで、見積依頼に出品する場合には、ステップＦ５１おいて、見積依頼出品データを商品データD2と見積りデータD3に保存処理を行う。
【００６６】
次に、ステップＦ５２おいて、商品の登録情報を商品データD2のみに保存処理を行い、ステップＦ４０に戻る。
【００６７】
商品登録、更新、削除を行わない場合には、ステップＦ５３おいて、対応業者の閲覧をするかの判定処理を行う。
【００６８】
対応業者の閲覧をする場合には、ステップＦ５４おいて、会員データD1から登録商品別対応業者の一覧表示処理、登録商品が無ければ空白処理を行い、ステップＦ５５おいて、業者毎に見積依頼を依頼するかの判定処理を行う。
【００６９】
見積依頼を依頼しない場合には、ステップＦ５３に戻る。
【００７０】
一方、見積依頼を依頼する場合には、ステップＦ５６おいて、見積依頼内容入力処理を行い、ステップＦ５７おいて、見積依頼情報を会員データD1と商品データD2と見積りデータD3に保存処理を行った後、ステップＦ２９に戻る。
【００７１】
対応業者の閲覧をしない場合には、ステップＦ５８おいて、自己出品商品の詳細をみるかの判定処理を行う。自己出品商品の詳細を閲覧しない場合には、ステップＦ２９に戻る。一方、自己出品商品の詳細を閲覧する場合には、ステップＦ５９おいて、商品一覧から選択入力処理を行う。
【００７２】
これによれば、発想した商品の製作業者開拓と製作費見積り及び販売価格と購入者開拓を、同時に且つ迅速に行うことが可能となる。
【００７３】
また、インターネットでの企業間取引サイト、及びオークションサイトでは、既存商品だけの取引を扱うものとは異なり、本実施形態によれば、新たな開発商品の生産や販売も行うことができる。
【００７４】
さらに、新商品を開発する一般のインターネットサイトでは、参加者がアイデアを売り込むだけで、製造者や購入者の開拓は、サイト運営者が交渉をして開拓しているが、本実施形態のステップＦ４８、ステップＦ５０によれば、広範な製造者や一般購入者などの開拓をすることも可能となる。
【００７５】
図６は、出品者選択品分析に関するフローチャートである。
【００７６】
まず、ステップＦ６０おいて、選択品分析の初期設定処理を行う。次に、ステップＦ６１おいて、選択品に関連付けされているオークションデータD4データの検出処理を行い、ステップＦ６２おいて、検出データがあるかの判定処理を行う。検出データがある場合は、ステップＦ６５へ進む。一方、検出データがない場合は、ステップＦ６３おいて、検出されたデータの下位入札価格毎累計個数積演算処理を行い、ステップＦ６４おいて、ステップＦ６３の処理により作成された、入札価格別累計個数対売上データを行った後に、ステップＦ６５へ進む。
【００７７】
次に、ステップＦ６５おいて、選択品に関連付けされている見積りデータD3データの検出処理を行い、ステップＦ６６おいて、検出データがあるかの判定処理を行う。検出データがない場合には、図７で説明する出品者の販売価格決定フローに進む。一方、検出データがある場合には、ステップＦ６７おいて、各社のロット数毎製作単価見積金額を、集計処理を行い、ステップＦ６８おいて、各社のロット数毎製作単価見積金額データに入力する。次に、ステップＦ６９おいて、入札価格毎の累計個数に適応する、各社ロット数毎の製作単価見積金額を、積演算処理を行い、ステップＦ７０おいて、入札価格別累計個数対製作費データに入力する。次に、ステップＦ７１おいて、入札価格別累計個数対売上データから入札価格別累計個数対製作費データの減算処理を行い、ステップＦ７２おいて、利益最大値入札価格対累計個数データに入力する。
【００７８】
一般のインターネット商取引システムの欠点として、市場からの希求に相応しない商品の販売であったり、過剰な生産による在庫過多の発生であったり、販売価格の不適正や製造コストの不適正などといった、利害関係者による偏った判断を内在させていることが挙げられるが、本実施形態ではこれらの欠点を解決することが可能となる。
【００７９】
また、商品案が具体的に製品化される前であっても、オークション情報の最高入札額から順次、下位入札価格毎に入札個数を積算して得られた「入札価格毎の累計個数」を、相対した入札価格とで積演算処理することにより得られる入札価格別累計個数対売上データと、見積情報の上記「入札価格毎の累計個数」に適応するロット数毎の製作単価見積金額を、積演算処理することにより得られる入札価格別累計個数対製作費データとで減算処理し、利益が最大値となる入札価格と累計個数を抽出する処理により、原価費用の積算及び実勢販売価格と実勢販売量が的確に判断できる為、マーケティング機能として本実施形態を活用できる。
【００８０】
図７は、出品者の販売価格決定に関するフローチャートである。
【００８１】
まず、ステップＦ７３おいて、ステップＦ６４とステップＦ６８とステップＦ７０とステップＦ７２の作成データの一覧表示及びグラフ表示処理を行う。次に、ステップＦ７４おいて、業者との質疑応答をするかの判定処理を行う。
【００８２】
出品者、商品の企画者は、商品案を登録し、この商品案の製作見積り依頼を競争入札で募集すること、及び、この商品案をオークションへ出品することにより、広くインターネット利用者の認知するものとなり、その効用として製作業者や購入希望者や仕入販売希望者や広告業者等の意見を参考に取り入れることがステップＦ７４により可能となり、より実現的な商品化に向けての改善改良を行うことも可能となる。
【００８３】
業者との質疑応答を行う場合には、ステップＦ７５おいて、質疑応答入力処理を行い、ステップＦ７６おいて、質疑応答内容を会員データD1と商品データD2と見積りデータD3に保存処理を行った後、ステップＦ６１に戻る。
【００８４】
一方、業者との質疑応答を行わない場合には、ステップＦ７７おいて、業者の選別をするかの判定処理を行う。
【００８５】
業者の選別を行う場合には、ステップＦ７８おいて、業者選別及び確定入力処理を行い、ステップＦ７９おいて、業者選別確定内容を会員データD1と商品データD2と見積りデータD3に保存処理を行った後、ステップＦ６２に戻る。
【００８６】
一方、業者の選別を行わない場合には、ステップＦ８０おいて、オークション会員との質疑応答をするかの判定処理を行う。
【００８７】
オークション会員との質疑応答を行う場合には、ステップＦ８１おいて、質疑応答内容入力処理を行い、ステップＦ８２おいて、質疑応答内容を会員データD1と商品データD2と見積りデータD3に保存処理を行った後、ステップＦ７４に戻る。
【００８８】
一方、オークション会員との質疑応答を行わない場合には、ステップＦ８３おいて、販売計画を策定するかの判定処理を行う。
【００８９】
販売計画を策定する場合には、ステップＦ８４おいて、販売価格、製造コスト、数量、諸経費の入力処理を行い、ステップＦ８５おいて、採算分岐計算方法により演算処理を行う。次に、ステップＦ８６おいて、ステップＦ８５の値を表及びグラフ表示処理を行い、ステップＦ８７おいて、表を閉じるかの判定処理を行う。ここで、表を閉じる場合にはステップＦ７４へ戻り、表を閉じない場合にはステップＦ８６へ戻る。
【００９０】
一方、販売計画を策定しない場合には、ステップＦ８８おいて、落札者を確定するかの判定処理を行う。
【００９１】
落札者を確定する場合には、ステップＦ８９おいて、決定販売価格入力処理を行う。次に、ステップＦ９０おいて、関連付けされた、会員データD1とオークションデータD4のデータからステップＦ８９の条件に適合するデータの抽出処理を行い、ステップＦ９１おいて、抽出されたデータのメールアドレスへ落札通知メール発送処理を行う。次に、ステップＦ９２おいて、商品価格の決定情報と落札情報を全サーバへ保存処理を行い、ステップＦ６３へ戻る。
【００９２】
一方、落札者を確定しない場合には、ステップＦ９３おいて、選択品の再集計と見直しをするかの判定処理を行う。ここで、選択品の再集計と見直しを行う場合には、ステップＦ７へ戻り、選択品の再集計と見直しを行わない場合にはステップＦ７４へ戻る。
【００９３】
図８は、出品者の商品に対する再集計と見直しに関するフローチャートである。
【００９４】
まず、ステップＦ９４おいて、選択品再集計と見直し分析初期設定処理を行う。次に、ステップＦ９５おいて、会員データD1とオークションデータD4から関連付けられた、落札者の承諾データと決定販売価格データの抽出処理を行い、ステップＦ９６おいて、検出データがあるかの判定処理を行う。
【００９５】
検出データがない場合には、ステップＦ９７おいて、『落札者からの承諾はありません』の表示処理を行い、ステップＦ９８おいて、ステップＦ２８に回帰表示処理を行う。
【００９６】
一方、検出データがある場合には、ステップＦ９９おいて、承諾済み個数と決定販売価格の積演算処理を行い、ステップＦ１００おいて、承諾済み売上予定データに入力する。次に、ステップＦ１０１おいて、見積りデータD3から関連付けされた確定業者の見積金額データの抽出処理を行い、ステップＦ１０２おいて、検出データがあるかの判定処理を行う。
【００９７】
検出データがない場合には、ステップＦ１０３おいて、『確定業者がありません』の表示処理を行い、ステップＦ１０４おいて、ステップＦ２８に回帰表示処理を行う。
【００９８】
一方、検出データがある場合には、ステップＦ１０５おいて、承諾済み個数に適応する、ロット数の製作単価見積金額の積演算処理を行い、ステップＦ１０６おいて、承諾済み個数製作費データに入力する。次に、ステップＦ１０７おいて、ステップＦ１００の承諾済み売上予定データからステップＦ１０６の承諾済み個数製作費データの減算処理を行い、ステップＦ１０８おいて、承諾済み販売収益予測データに入力する。
【００９９】
図９は、出品者、最終手続きに関するフローチャートである。
【０１００】
まず、ステップＦ１０９おいて、ステップＦ１００とステップＦ１０６とステップＦ１０８の作成データの一覧表示及びグラフ表示処理を行う。次に、ステップＦ１１０おいて、発売を決定するかの判定処理を行う。
【０１０１】
発売を決定する場合には、ステップＦ１１１おいて、礼文、納期、金額、支払条件等入力処理を行う。次に、ステップＦ１１２おいて、オークションデータD4の落札承諾者へ情報更新処理を行い、ステップＦ１１３おいて、発売情報を会員データD1、商品データD2、オークションデータD4へ保存処理を行う。この後、ステップＦ１１０へ戻る。
【０１０２】
一方、発売を決定しない場合には、ステップＦ１１４おいて、撤退するかの判定処理を行う。
撤退する場合には、ステップＦ１１５おいて、撤退お詫び文等の入力処理を行う。次に、ステップＦ１１６おいて、オークションデータD4の落札承諾者と見積りデータD3の確定業者へ情報更新処理を行い、ステップＦ１１７おいて、撤退情報を全サーバに保存処理を行う。この後、ステップＦ１１０へ戻る。
【０１０３】
一方、撤退しない場合には、ステップＦ１１８おいて、保留するかの判定処理を行う。
保留する場合には、ステップＦ１１９おいて、理由等入力処理を行う。次に、ステップＦ１２０おいて、オークションデータD4の落札承諾者と見積りデータD3の確定業者へ情報更新処理を行い、ステップＦ１２１おいて、保留情報を全サーバに保存処理を行う。この後、ステップＦ１１０へ戻る。
【０１０４】
図１０は、製作者用登録ログインに関するフローチャートである。
【０１０５】
まず、ステップＦ２００おいて、製作者用ページ表示処理を行う。次に、ステップＦ２０１おいて、ログインするかの判定処理を行う。
【０１０６】
ログインする場合には、ステップＦ２０２おいて、取得済みＩＤとパスワードの入力処理を行う。次に、ステップＦ２０３おいて、ステップＦ２０２で入力されたＩＤとパスワードを会員データD1のデータと照合作業を行い、ステップＦ２０４おいて、ステップＦ２０３の結果、登録データが存在したか判定処理を行う。
【０１０７】
登録データが存在しない場合には、ステップＦ２０５おいて、ステップＦ２０４の結果、再発行を希望するか判定処理を行う。
【０１０８】
再発行を希望した場合には、ステップＦ２０６おいて、登録済みと思われるメールアドレス、ＩＤ、名前の入力処理を行う。次に、ステップＦ２０７おいて、ステップＦ２０６で入力されたメールアドレス、ＩＤ、名前を会員データD1のデータと照合作業を行い、ステップＦ２０８おいて、ステップＦ２０７の結果、登録データが存在したか判定処理を行う。
【０１０９】
ステップＦ２０８の結果、登録データが存在した場合、ステップＦ２０９おいて、登録済みメールアドレスへパスワードのメール発送処理を行い、ステップＦ２１０おいて、ステップＦ１へ回帰表示処理を行う。
【０１１０】
一方、ステップＦ２０８の結果、登録データが存在しない場合、ステップＦ２１１おいて、『未登録です』の文字表示処理を行い、ステップＦ２１２おいて、ステップＦ１へ回帰表示処理を行う。
【０１１１】
ログインしない場合には、ステップＦ２１３おいて、新規登録するかの判定処理を行う。
【０１１２】
新規登録しない場合には、ステップＦ２０１に戻る。
【０１１３】
一方、新規登録する場合には、ステップＦ２１４おいて、新規登録必須項目と対応業務内容の入力処理を行う。次に、ステップＦ２１５おいて、新規登録必須項目の入力漏れ診断処理を行い、ステップＦ２１６おいて、入力漏れがあるか判定処理を行う。
【０１１４】
入力内容が適合でない場合には、ステップＦ２１７おいて、入力ミス項目の表示処理を行い、ステップＦ２１４に戻る。
【０１１５】
一方、入力内容が適合である場合には、ステップＦ２１８おいて、新規登録の入力情報とパスワードを自動割当し会員データD1へ保存処理を行う。次に、ステップＦ２１９おいて、ステップＦ２１８の新規登録情報のメールアドレスへ自動割当したパスワードのメール発送処理を行い、ステップＦ２２０おいて、ステップＦ１へ回帰表示処理を行う。
【０１１６】
図１１は、製作用利用ページに関するフローチャートである。
【０１１７】
まず、ステップＦ２２１おいて、製作者用ページ表示処理を行う。次に、ステップＦ２２２おいて、会員データD1の業務対応情報と関連付けされている商品データD2の見積依頼情報の検出処理を行う。次に、ステップＦ２２３おいて、見積依頼商品があるかの判定処理を行う。
【０１１８】
見積依頼商品がある場合には、ステップＦ２２４おいて、見積依頼商品データの入力を行い、ステップＦ２２６に進む。
【０１１９】
一方、見積依頼商品がない場合には、ステップＦ２２５おいて、商品データD2から見積対応可能商品データの検出処理を行う。
【０１２０】
次に、ステップＦ２２６おいて、見積依頼商品と見積対応可能商品の重複があるかの判定処理を行う。
【０１２１】
見積依頼商品と見積対応可能商品の重複がある場合には、ステップＦ２２７おいて、見積依頼商品と見積対応可能商品の重複統合処理を行い、ステップＦ２２８おいて、見積対応可能兼見積依頼商品データの入力を行った後、ステップＦ２３０に進む。
【０１２２】
一方、見積依頼商品と見積対応可能商品の重複がない場合には、ステップＦ２２９おいて、見積依頼商品データと見積対応可能商品データの出力を行う。
【０１２３】
次に、ステップＦ２３０おいて、ステップＦ２２８の見積対応可能兼見積依頼商品データとＦ２２９の見積依頼商品データと見積対応可能商品データの一覧表示処理を行う。その後、Ｆ２３１おいて、見積依頼者へ返信するかの判定処理を行う。
【０１２４】
ステップＦ２３１おいて見積依頼者へ返信する場合には、ステップＦ２３２おいて、関連付けされた会員データD1と商品データD2と見積りデータD3から適合依頼内容抽出表示処理を行い、ステップＦ２３３おいて、依頼者へ返信するかの判定処理を行う。
【０１２５】
依頼者へ返信しない場合には、ステップＦ２３１に戻る。
【０１２６】
一方、依頼者へ返信する場合には、ステップＦ２３４おいて、見積内容、返信文入力処理を行う。次に、ステップＦ２３５おいて、会員データD1、商品データD2、見積りデータD3に保存処理を行った後、ステップＦ２２２に戻る。
【０１２７】
ステップＦ２３１おいて見積依頼者へ返信しない場合には、ステップＦ２３６おいて、業務情報の登録、更新、削除をするかの判定処理を行う。
【０１２８】
業務情報の登録、更新、削除をする場合には、ステップＦ２３７おいて、業務情報の入力もしくは、削除命令の入力処理を行う。次に、ステップＦ２３８おいて、会員データD1に更新保存処理を行った後、ステップＦ２２２に戻る。
【０１２９】
一方、業務情報の登録、更新、削除をしない場合には、ステップＦ２３９おいて、ステップＦ２３０の表示商品へ見積依頼をするかの判定処理を行う。
【０１３０】
見積依頼をする場合には、ステップＦ２４０おいて、見積金額及び文章入力処理を行う。次に、ステップＦ２４１おいて、商品データD2、見積りデータD3に見積金額及び文章データの保存処理を行った後、ステップＦ２２２に戻る。
【０１３１】
一方、見積依頼をしない場合には、ステップＦ２４２おいて、見積入札済みリストの表示処理をするかの判定処理を行う。ここで、見積入札済みリストの表示処理をする場合は、図１２で説明する製作者の見積入札一覧と最終処理フローへと進み、見積入札済みリストの表示処理をしない場合は、ステップＦ２３１へ戻る。
【０１３２】
上述のステップＦ２３０、ステップＦ２３９により、製作に関する業務を請け負える者は、自身の業務能力に見合う製作見積り依頼商品案を閲覧し競争に応札することで、得意分野の新規受注の開拓がいつでも可能になる。
【０１３３】
図１２は、製作者の見積入札一覧と最終処理に関するフローチャートである。
【０１３４】
まず、ステップＦ２４３おいて、見積入札済みリストフォーム表示処理を行う。次に、ステップＦ２４４おいて、商品データD2と見積りデータD3から関連付けされた見積済み内容抽出表示を行う。次に、ステップＦ２４５おいて、リストから削除するかの判定処理を行う。
【０１３５】
リストから削除する場合には、ステップＦ２４６おいて、削除命令入力処理を行う。次に、ステップＦ２４７おいて、商品データD2、見積りデータD3に削除された情報の保存処理を行った後、ステップＦ２４４に戻る。
【０１３６】
一方、リストから削除しない場合には、ステップＦ２４８おいて、出品者との質疑応答をするかの判定処理を行う。
【０１３７】
商品案の製作見積り依頼を競争入札で募集すること、及び、この商品案をオークションへ出品することにより、商品案は、広くインターネット利用者の認知するものとなり、その効用として製作業者や購入希望者や仕入販売希望者や広告業者等の意見を参考に取り入れることがステップＦ２４８により可能となり、より実現的な商品化に向けての改善改良を行うことも可能となる。
【０１３８】
出品者との質疑応答をする場合には、ステップＦ２４９おいて、出品者との質疑応答内容入力処理を行う。次に、ステップＦ２５０おいて、商品データD2、見積りデータD3に質疑応答情報の保存処理を行った後、ステップＦ２４４に戻る。
【０１３９】
一方、出品者との質疑応答をしない場合には、ステップＦ２５１おいて、製作依頼の確認と納品プランを連絡するかの判定処理を行う。
【０１４０】
製作依頼の確認と納品プランを連絡する場合には、ステップＦ２５２おいて、確認事項及び納期情報の入力処理を行う。次に、ステップＦ２５３おいて、商品データD2、見積りデータD3に確認事項及び納期情報の保存処理を行った後、ステップＦ２４４に戻る。
【０１４１】
一方、製作依頼の確認と納品プランを連絡しない場合には、ステップＦ２４４に戻る。
【０１４２】
図１３は、購入者用登録ログインに関するフローチャートである。
【０１４３】
まず、ステップＦ３００おいて、製作者用ページ表示処理を行う。次に、ステップＦ３０１おいて、ログインするかの判定処理を行う。
【０１４４】
ステップＦ３０１おいてログインする場合には、ステップＦ３０２おいて、取得済みＩＤとパスワードの入力処理を行う。次に、ステップＦ３０３おいて、ステップＦ３０２で入力されたＩＤとパスワードを会員データD1のデータと照合作業を行い、ステップＦ３０４おいて、ステップＦ３０３の結果、登録データが存在したか判定処理を行う。
【０１４５】
ステップＦ３０４の結果、登録データが存在しない場合、ステップＦ３０５おいて、再発行を希望するか判定処理を行う。
【０１４６】
再発行を希望しない場合は、ステップＦ３０２に戻る。
【０１４７】
一方、再発行を希望する場合は、ステップＦ３０６おいて、登録済みと思われるメールアドレス、ＩＤ、名前の入力処理を行う。次に、ステップＦ３０７おいて、ステップＦ３０６で入力されたメールアドレス、ＩＤ、名前を会員データD1のデータと照合作業を行い、ステップＦ３０８おいて、ステップＦ３０７の結果、登録データが存在したか判定処理を行う。
【０１４８】
ステップＦ３０８の結果、登録データが存在した場合、ステップＦ３０９おいて、登録済みメールアドレスへパスワードのメール発送処理を行い、ステップＦ３１０おいて、ステップＦ１へ回帰表示処理を行う。
【０１４９】
一方、ステップＦ３０８の結果、登録データが存在しない場合、ステップＦ３１１おいて、『未登録です』の文字表示処理を行い、ステップＦ３１２おいて、ステップＦ１へ回帰表示処理を行う。
【０１５０】
ステップＦ３０１おいてログインしない場合には、ステップＦ３１３おいて、新規登録するかの判定処理を行う。
【０１５１】
新規登録しない場合には、ステップＦ３０１に戻る。
【０１５２】
一方、新規登録する場合には、ステップＦ３１４おいて、新規登録必須項目の入力処理を行う。次に、ステップＦ３１５おいて、新規登録必須項目の入力漏れ診断処理を行い、ステップＦ３１６おいて、入力漏れがあるか判定処理を行う。
【０１５３】
入力内容が不適合の場合には、ステップＦ３１７おいて、入力ミス項目の表示処理を行い、ステップＦ３１４に戻る。
【０１５４】
一方、入力内容が適合の場合には、ステップＦ３１８おいて、新規登録の入力情報とパスワードを自動割当し会員データD1へ保存処理を行う。次に、ステップＦ３１９おいて、ステップＦ３１８の新規登録情報のメールアドレスへ自動割当したパスワードのメール発送処理を行った後、ステップＦ３２０おいて、ステップＦ１へ回帰表示処理を行う。
【０１５５】
図１４は、購入者用オークションページに関するフローチャートである。
【０１５６】
まず、ステップＦ３２１おいて、購入者用オークションページフォーム表示処理を行う。次に、ステップＦ３２２おいて、会員データD1、商品データD2、オークションデータD4から関連付けをしてオークションデータ抽出処理を行う。次に、ステップＦ３２３おいて、オークション商品一覧ページ表示処理を行う。
【０１５７】
図１５は、購入者オークション参加に関するフローチャートである。
【０１５８】
まず、ステップＦ３２４おいて、登録情報の更新をするかの判定処理を行う。
【０１５９】
登録情報の更新をする場合には、ステップＦ３２５おいて、登録情報答申入力処理を行う。次に、ステップＦ３２６おいて、会員データD1に更新情報保存処理を行った後、ステップＦ３２４に戻る。
【０１６０】
一方、登録情報の更新をしない場合には、ステップＦ３２７おいて、出品者へリクエストするかの判定処理を行う。つまり、オークション参加者は、新商品の案に対してスペックやデザイン等の、希望や提案をすることができる。
【０１６１】
出品者、商品の企画者は、商品案を登録し、この商品案の製作見積り依頼を競争入札で募集すること、及び、この商品案をオークションへ出品することにより、広くインターネット利用者の認知するものとなり、その効用として製作業者や購入希望者や仕入販売希望者や広告業者等の意見を参考に取り入れることがステップＦ３２７により可能となり、より実現的な商品化に向けての改善改良を行うことも可能となる。
【０１６２】
出品者へリクエストしない場合には、ステップＦ３２８おいて、出品者への要望及びアドバイス情報の入力処理を行う。次に、ステップＦ３２９おいて、会員データD1と関連付けて商品データD2、オークションデータD4に要望及びアドバイス情報の保存処理を行った後、ステップＦ３２４に戻る。
【０１６３】
一方、出品者へリクエストする場合には、ステップＦ３３０おいて、入札するかの判定処理を行う。
【０１６４】
入札する場合には、ステップＦ３３１おいて、金額及び個数の入力処理を行う。次に、ステップＦ３３２おいて、会員データD1と関連付けて商品データD2、オークションデータD4に金額及び個数情報の保存処理を行った後、ステップＦ３２４に戻る。
【０１６５】
一方、入札しない場合には、ステップＦ３３３おいて、入札中、落札、終了分リストを見るかの判定処理を行う。
【０１６６】
入札中、落札、終了分リストを見る場合には、ステップＦ３３４おいて、会員データD1に関連づいた商品データD2、オークションデータD4の入札中、落札、終了分データの抽出表示処理を行う。次に、ステップＦ３３５おいて、新規の落札確定対象があるかの判定処理を行った後、ステップＦ３２４に戻る。
【０１６７】
一方、入札中、落札、終了分リストを見ない場合には、ステップＦ３３６おいて、落札分から落札処理をするかの判定処理を行う。
【０１６８】
落札処理をしない場合には、ステップＦ３２４に戻る。
【０１６９】
一方、落札処理をする場合には、ステップＦ３３７おいて、『貴方が落札しました』の文章表示処理を行う。次に、ステップＦ３３８おいて、キャンセルをするかの判定処理を行う。
【０１７０】
キャンセルをする場合には、ステップＦ３３９おいて、会員データD1に関連付けて商品データD2、オークションデータD4にキャンセル情報の保存処理を行った後、ステップＦ３２４に戻る。
【０１７１】
一方、キャンセルをしない場合には、ステップＦ３４０おいて、承諾をするかの判定処理を行う。
【０１７２】
承諾をしない場合には、ステップＦ３３７に戻る。
【０１７３】
一方、承諾をする場合には、ステップＦ３４１おいて、会員データD1に関連付けて商品データD2、オークションデータD4に承諾情報の保存処理を行う。次に、ステップＦ３４２おいて、会員データD1に関連付けられた商品データD2、オークションデータD4の出品者からの連絡情報の抽出表示処理を行う。次に、ステップＦ３４３おいて、出品者から入金依頼と納期予定日報告情報があるかの判定処理を行う。
【０１７４】
出品者から入金依頼と納期予定日報告情報がない場合には、ステップＦ３２４に戻る。
【０１７５】
一方、出品者から入金依頼と納期予定日報告情報がある場合には、ステップＦ３４４おいて、落札金額を振り込むかの判定処理を行う。
【０１７６】
落札金額を振り込まない場合には、ステップＦ３２４に戻る。
【０１７７】
一方、落札金額を振り込む場合には、図１６で説明する購入者の落札金振込処理フローへ進む。
【０１７８】
これにより、商品購入希望のオークション落札適合者は、新商品を希望価格内で発売と同時に、入手することが出来る。
【０１７９】
図１６は、購入者の落札金振込処理に1関するフローチャートである。
【０１８０】
まず、ステップＦ３４５おいて、提携金融機関への預け入れを提携金融機関の処理方法に従い処理する為の提携金融機関先リンク回帰処理を行う。次に、ステップＦ３４６おいて、本サイト運営者メールアドレスへ、提携金融機関より、入金情報が送付されたことの受信処理を行う。次に、ステップＦ３４７おいて、入金対象の商品出品者及び製作者へ入金者情報を開示し商品の発送支持をサーバ及びメールを介して行う告知処理と、入金者への入金受理確認メール発送処理を行う。
【０１８１】
これにより、商品の企画者及び製作に関する業務を請け負える者にとって、製造販売実施の際、購入確定者達が本サイトの提携金融機関に、購入金の前払い預け入れをすることで、商品代金の未払いリスクを抑えられる。
【０１８２】
また、購入者達にとって、商品の納品時に約束違反があれば、本サイトの提携金融機関に、前払い預け入れ購入金の返金を求めることで、未納品リスクを抑えることができる。
【０１８３】
次に、ＷＥＢサイトページの操作手順に沿って本実施形態を説明する。
【０１８４】
図１７は、ＷＥＢサイトページ操作手順の一例を示す図である。
【０１８５】
トップページにおいては、利用者は本サイトの取り扱い方を理解する為、「トップページ」の説明ボタンから、「サイト利用の説明ページ」に至る（１）。商品企画者は「トップページ」のお願いマーケットボタンから、お願いマーケット用「「会員ログインページ」」に至る（２）。製品化を請け負う者は「トップページ」のお引受けマーケットボタンから、お引受けマーケット用「「会員ログインページ」に至る（３）。商品購入希望者は、「トップページ」の創造オークションボタンから創造オークション用「会員ログインページ」に至る（４）。
【０１８６】
お願いマーケット用「会員ログインページ」においては、お願いマーケット用「会員ログインページ」の新規登録に対し、登録審査の結果とＩＤパスをメールで登録者へ返信し、情報を会員データサーバに送る（５）。また、お願いマーケット用「会員ログインページ」からログインをして、「自己出品リストページ」へ至る（８）。
【０１８７】
お引受けマーケット用「会員ログインページ」においては、お引受けマーケット用「会員ログインページ」の新規登録に対し、登録審査の結果とＩＤパスをメールで登録者へ返信し、情報を会員データサーバに送る（６）。また、お引受けマーケット用「会員ログインページ」からログインをして、「アイデア・見積依頼リストページ」へ至る（９）。
【０１８８】
創造オークション用「会員ログインページ」においては、創造オークション用「会員ログインページ」の新規登録に対し、登録審査の結果とＩＤパスをメールで登録者へ返信し、情報を会員データサーバに送る（７）。また、創造オークション用「会員ログインページ」からログインして、「会員用オークション会場ページ」へ至る（３０）。
【０１８９】
「自己出品リストページ」においては、商品企画者は、「自己出品リストページ」のアイデア登録・更新・追加・削除ボタンから「登録ページ」へ至る（１０）。また、商品企画者は「自己出品リストページ」の対応業者リスト閲覧ボタンから、会員データサーバから抽出された「対応業者リスト」のページに至る（１２）。さらに、商品企画者は「自己出品リストページ」の自己出品から選択ボタンから、「選択品の分析データとグラフページ」へ至る（１４）。
【０１９０】
「対応業者リスト」のページにおいて、商品企画者は「対応業者リスト」から業者を選択し、見積依頼をする（１３）。このデータは、見積りデータサーバへ送られる。
【０１９１】
「登録ページ」においてアイデアの登録・更新・追加・削除したデータは商品データサーバへ送られ、そのデータは製品化を請け負う者用の「アイデア・見積依頼リストページ」へ反映される（１１）。
【０１９２】
「アイデア・見積依頼リストページ」において、製品化を請け負う者は「アイデア・見積依頼リストページ」から見積依頼へ返信する（１５）。このデータは、見積りデータサーバへ送られる。
また、製品化を請け負う者は「アイデア・見積依頼リストページ」から商品企画者のアイデアへ見積もり入札する（１６）。このデータは、見積りデータサーバに送られる。リアルタイムに蓄積されている、製品化を請け負う者からの見積りデータは、見積もりデータサーバから商品企画者の「選択品の分析データとグラフページ」に反映させられる（２０）。さらに、製品化を請け負う者は「アイデア・見積依頼リストページ」の入札済リストボタンから、入札済リストへ至る（１７）。
【０１９３】
「入札済リストページ」において、製品化を請け負う者は「入札済リストページ」から質疑応答をお願いマーケットの商品企画者と行う（１８）。このデータは、見積りデータサーバに送られる。また、「入札済リストページ」から受注確認と承諾・納品プラン連絡をお願いマーケットの商品企画者と行う（１９）。このデータは、見積りデータサーバに送られる。
【０１９４】
「選択品の分析データとグラフページ」においては、お引受けマーケットの製品化を請け負う者と質疑応答を行う（２２）。このデータは、見積りデータサーバに送られる。また、製品化を請け負う者の選別確定を行う（２３）。このデータは、見積りデータサーバに送られる。また、販売計画策定を行う（２５）。このデータは、商品データサーバに送られる。また、創造オークションの商品購入希望者と質疑応答を行う（２４）。このデータは、オークションデータサーバに送られる。また、商品購入落札者を確定する（２６）。このデータは、オークションデータサーバに送られる。商品企画者が落札者確定を行うと、落札の告知が自動メールプログラムにより商品購入落札者に送られる（２８）。また、商品企画者は、「選択品の分析データとグラフページ」の再集計と見直しボタンから「再集計と見直し・最終承諾からの分析データとグラフページ」に至る（２９）。なお、リアルタイムに蓄積されている、商品購入希望者からのオークションデータが、オークションデータサーバから商品企画者の「選択品の分析データとグラフページ」に反映される（２１）。
【０１９５】
「会員用オークション会場ページ」において、商品購入希望者の「会員用オークション会場ページ」の登録情報更新データが会員データサーバへ送られる（３１）。また、商品購入希望者が入札を行ったデータは、オークションデータサーバへ送られる（３２）。また、商品購入希望者は「会員用オークション会場ページ」の落札ボタンから、落札処理に入る（３６）。なお、商品購入希望者は入札中リスト閲覧のため、オークションデータサーバからリストが抽出される（３３）。また、商品購入希望者は終了分リスト閲覧のため、オークションデータサーバからリストが抽出される（３４）。また、商品企画者からの落札確定が行われると、オークションデータサーバから、落札確定データの表示がされる（２７）。また、商品購入希望者は落札リスト閲覧のため、オークションデータサーバからリストが抽出される（３５）。
【０１９６】
商品購入希望者が落札商品をキャンセルした場合、キャンセルデータがオークションデータサーバへ送られる（３７）。一方、商品購入希望者が落札を承諾した場合、承諾データがオークションデータサーバへ送られる（３８）。落札承諾の後、商品購入希望者は落札金額振込の処理を行う（４０）。
【０１９７】
「再集計と見直し・最終承諾からの分析データとグラフページ」においては、商品購入希望者の落札承諾もしくはキャンセルを受け、オークションデータサーバから商品企画者へ、落札者のキャンセルまたは承諾データの集計が表示される（３９）。商品企画者が発売撤退をした場合、商品データサーバ及びオークションデータサーバへ撤退データが送られる（４２）。一方、商品企画者が発売保留をした場合、商品データサーバ及びオークションデータサーバへ発売保留データが送られる（４３）。また、商品企画者による発売決定の場合には、その旨が落札承諾者の画面へ表示される（４１）。次に、落札者は落札金額を提携金融機関へ振り込む（４４）。提携金融機関からサイト運営者には、落札者からの入金報告がメールで連絡される（４５）。サイト運営者は、全サーバへの最終処理と、商品出品者と製作業者への商品発送依頼を行った後、製作業者からの発送済み確認をもって、提携金融機関へ出品者利益と製作業者利益の送金を依頼する（４６）。
【０１９８】
表1は、出品者が商品の発売意思決定を行う場合に選択した商品のデータが集計演算処理される一例を示す表である。
【０１９９】
【表１】
2006330788.tif 000003
【０２００】
まず、１次データとして、入札価格毎の累計個数と各業者見積入札結果とを集計する。ここで、入札価格毎の累計個数は、例えば、購入者が入札を希望する価格帯（入札価格）に対応する入札個数を、最高入札額から下位入札価格へと入札価格毎に順次積算した個数である。また、各業者見積入札結果は、各業者見積入札結果は、仮に各業者が商品等の具現化を行うとした場合のロット別単価をロット数に対応付けたものである。
【０２０１】
次に、２次データとして、入札価格別累計個数対売上データと入札価格別累計個数対製作費データとを集計する。ここで、入札価格別累計個数対売上データは、入札価格に、１次データにおける入札価格毎の累計個数を掛け合わせたものである。また、入札価格別累計個数対製作費データは、１次データにおける入札価格毎の累計個数に、１次データにおける各業者見積入札結果で示される、入札価格毎の累計個数に対応するロット数製作単価を掛け合わせたものである。
【０２０２】
その後、３次データとして、累計個数対売上損益表を試算する。累計個数対売上損益表は、２次データにおける入札価格別累計個数対売上データと、２次データにおける入札価格別累計個数対製作費データとの差を対応するセルの間で求めることにより得られる。
【０２０３】
図１８は、３次データとして試算した累計個数対売上損益表をグラフ化した累計個数対売上損益グラフである。
【０２０４】
表１及び図１８に示すケースであれば、価格を５０円とし、商品製造業者をC社、Ｄ社又はＥ社とすれば、利益額が３１８０円と最大になることがわかる。
【０２０５】
上述のように、３次データである累計個数対売上損益表又は累計個数対売上損益グラフから、多様な価格、購入者の嗜好及び業者の組み合わせであっても、利益額を容易に決定できる。さらに、どの価格帯、どのアイデア具現化業者に設定すれば、最も利益額が大きくなるかが判断でき、価格及びアイデア具現化業者の選定が容易にできることになる。
【０２０６】
なお、ここでは、入札価格別累計個数対売上データから入札価格別累計個数対製作費データを入札価格毎に減算処理し、その値が最大となる入札価格と製作業者とを抽出している。しかしながら、決定手法は、単純な減算に限られるのものではなく、他のコスト、為替などの諸要件を加味した演算を行い、どの価格帯、どのアイデア具現化業者が適切化を決定してもよい。
【０２０７】
また、アイデアは商品、製品に関するものではなくともサービスに関するものでもよい。
【０２０８】
これまで商品の「個数」を基準として説明してきたが、サービス時間、商品の質量等のアイデアの内容等に応じた「アイデア具現量」を適宜基準としてもよい。
【０２０９】
ＩＤ情報としては、本実施形態で扱ったユーザ等に関する情報だけでなく、電子認証機関等を利用した、ユーザ等を必要等に応じて任意の程度まで特定するための情報でもよい。
【０２１０】
商品製作は多数の業者が部位ごとに関わってもよい。すなわち、単数もしくは複数の「商品の着想に対して商品化する為の仕事を受けたい者」が「製作部位の違う部分」に対して、制作可能なロット数毎の製作単価見積金額を関連付け、入札価格別累計個数対部位別製作費データを部位ごとに準じ、減算処理し、利益が最大値となる入札価格と累計個数を抽出してもよい。
【０２１１】
既存商品と購入者のみの場合でもよい。つまり、出品者の商品が既に製作費用が把握されている既存商品の場合、既成製作費用を、商品購入希望者が入札したことによる得られる入札価格別累計個数対売上データと対比減算処理することにより、利益が最大値となる入札価格と累計個数を抽出してもよい。
【０２１２】
購入側オークションからの要望により商品化する場合でもよい。出品者の商品企画に対し購入希望者が自由な要望をリクエストする機能を、オークションサイト運営者に対して実施できるようにすることにより、購入希望者の要望による商品を製作業者が見積り、発売が可能か判断することができる。
【０２１３】
出品者の商品企画に対しては、独占的でなく必要な分だけ購入もしくは仕入れをする者だけでなく、アイデア案件もしくはアイデア保持者に投資を行い将来リターンを得る考えの者、投資家、又は、アイデア（権利）そのものを買い上げ自分のアイデア（権利）として利益を得ようとする者、案件の買収者がオークションに参加し、出品者は「入札価格別累計個数対売上データ」や「入札価格別累計個数対製作費データ」を判断材料として、適正な投資価値もしくは買収価格を算定してもよい。
【０２１４】
上述した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０２１５】
図１９は、上述した一連の処理を実行するプログラムがインストールされるコンピュータの構成例を示している。
【０２１６】
プログラムは、コンピュータに内蔵されている記録媒体としてのハードディスク２０５やＲＯＭ２０３に予め記録しておくことができる。
【０２１７】
あるいは、プログラムは、フレキシブルディスク、CD-ROM(Compact Disc
Read Only Memory)，MO(Magneto Optical)ディスク，DVD(Digital Versatile Disc)、磁気ディスク、半導体メモリなどのリムーバブル記録媒体２１１に、一時的あるいは永続的に格納（記録）しておくことができる。このようなリムーバブル記録媒体２１１は、いわゆるパッケージソフトウエアとして提供することができる。
【０２１８】
なお、プログラムは、上述したようなリムーバブル記録媒体２１１からコンピュータにインストールする他、ダウンロードサイトから、デジタル衛星放送用の人工衛星を介して、コンピュータに無線で転送し、又は、LAN(Local Area Network)、インターネットといったネットワークを介して、コンピュータに有線で転送し、コンピュータでは、そのようにして転送されてくるプログラムを、通信部２０８で受信し、内蔵するハードディスク２０５にインストールすることもできる。
【０２１９】
コンピュータは、CPU(Central Processing Unit)２０２を内蔵している。CPU２０２には、バス２０１を介して、入出力インタフェース２１０が接続されており、CPU２０２は、入出力インタフェース２１０を介して、ユーザによって、キーボードや、マウス、マイク等で構成される入力部２０７が操作等されることにより指令が入力されると、それにしたがって、ROM(Read Only Memory)２０３に格納されているプログラムを実行する。あるいは、また、CPU２０２は、ハードディスク２０５に格納されているプログラム、衛星若しくはネットワークから転送され、通信部２０８で受信されてハードディスク２０５にインストールされたプログラム、またはドライブ２０９に装着されたリムーバブル記録媒体２１１から読み出されてハードディスク２０５にインストールされたプログラムを、RAM(Random Access Memory)２０４にロードして実行する。これにより、CPU２０２は、上述したフローチャートにしたがった処理、あるいは上述したブロック図の構成により行われる処理を行う。そして、CPU２０２は、その処理結果を、必要に応じて、例えば、入出力インタフェース２１０を介して、LCD(Liquid Crystal Display)等の表示装置やスピーカ等で構成される出力部２０６から出力、あるいは、通信部２０８から送信、さらには、ハードディスク２０５に記録等させる
【０２２０】
ここで、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。必要に応じ、ステップを取捨選択、省略することも可能である。
【０２２１】
また、プログラムは、コンピュータにより処理されるものであってもよいし、複数のコンピュータによって分散処理されるものであってもよい。さらに、プログラムは、遠方のコンピュータに転送されて実行されるものであってもよい。
【０２２２】
システムとは、複数の装置が論理的に集合した物をいい、各構成の装置が同一筐体中にあるか否かは、問わない。
【０２２３】
なお、本実施形態によれば、個人の発想の商品化や小規模生産による販売確立にあたり必要な要望に対して応えることができる。また、資金力不足や生活地域環境の不利または、心身的障害などの不利的状況においても、インターネット利用の環境が整っていれば、本サイトを通じて仕事の依頼・受注が可能となる。また、自己の要望に合った商品を探し、開発することが出来る。また、買い手がつかない商品を発売し在庫を抱えるリスクが小さくなる。また、広範囲な多種雑多な、有形無形の商品やサービスの実勢コストと販売価格が調べやすくなる。また、既存製品の改良ニーズの発見が容易になる。さらに、市場に埋もれている潜在需要または、潜在供給能力の発掘が可能となる。
【０２２４】
以上、特定の実施形態を参照しながら、本発明について説明してきた。しかしながら、本発明の要旨を逸脱しない範囲で当業者が該実施形態の修正又は代用を成し得ることは自明である。すなわち、例示という形態で本発明を開示してきたのであり、本明細書の記載内容を限定的に解釈するべきではない。本発明の要旨を判断するためには、冒頭に記載した特許請求の範囲の欄を参酌すべきである。
【０２２５】
また、この発明の説明用の実施形態が上述の目的を達成することは明らかであるが、多くの変更や他の実施例を当業者が行うことができることも理解されるところである。特許請求の範囲、明細書、図面及び説明用の各実施形態のエレメント又はコンポーネントを他の１つまたは組み合わせとともに採用してもよい。特許請求の範囲は、かかる変更や他の実施形態をも範囲に含むことを意図されており、これらは、この発明の技術思想および技術的範囲に含まれる。
【図面の簡単な説明】
【０２２６】
【図１】ハードウェアの相関を示す図である。
【図２】サーバ１１０内ソフトウェアの構成図である。
【図３】初期表示に関するフローチャートである。
【図４】出品者用登録ログインに関するフローチャートである。
【図５】出品者用利用ページに関するフローチャートである。
【図６】出品者選択品分析に関するフローチャートである。
【図７】出品者の販売価格決定に関するフローチャートである。
【図８】出品者の商品に対する再集計と見直しに関するフローチャートである。
【図９】出品者、最終手続きに関するフローチャートである。
【図１０】製作者用登録ログインに関するフローチャートである。
【図１１】製作用利用ページに関するフローチャートである。
【図１２】製作者の見積入札一覧と最終処理に関するフローチャートである。
【図１３】購入者用登録ログインに関するフローチャートである。
【図１４】購入者用オークションページに関するフローチャートである。
【図１５】購入者オークション参加に関するフローチャートである。
【図１６】購入者の落札金振込処理に1関するフローチャートである。
【図１７】ＷＥＢサイトページ操作手順の一例を示す図である。
【図１８】３次データとして試算した累計個数対売上損益表をグラフ化した累計個数対売上損益グラフである。
【図１９】一連の処理を実行するプログラムがインストールされるコンピュータの構成例である。
【符号の説明】
【０２２７】
１１０  「オークション機能と累積利益最大価格算定機能を備えたコンピュータ」であるサーバ
１２０  「商品の着想に対して商品化する為の仕事を受けたい者」である製作者が保有するコンピュータ
１３０  「商品の着想をする者」である出品者が保有するコンピュータ
１４０  「商品の着想に対して購入希望もしくは仕入販売希望をする者」である購入者が保有するコンピュータ
１５０  提携金融機関が保有するコンピュータ
P1  入出制御部
P2  利用制御部
D1  会員データ
D2  商品データ
D3  見積りデータ
D4  オークションデータ
MP1  メインプログラム
【図１】
2006330788.tif 000004
【図２】
2006330788.tif 000005
【図３】
2006330788.tif 000006
【図４】
2006330788.tif 000007
【図５】
2006330788.tif 000008
【図６】
2006330788.tif 000009
【図７】
2006330788.tif 000010
【図８】
2006330788.tif 000011
【図９】
2006330788.tif 000012
【図１０】
2006330788.tif 000013
【図１１】
2006330788.tif 000014
【図１２】
2006330788.tif 000015
【図１３】
2006330788.tif 000016
【図１４】
2006330788.tif 000017
【図１５】
2006330788.tif 000018
【図１６】
2006330788.tif 000019
【図１７】
2006330788.tif 000020
【図１８】
2006330788.tif 000021
【図１９】
2006330788.tif 000022